【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
開口部が形成される地板と、
前記開口部を閉鎖する状態と前記開口部を開放する状態との間を移動可能なシャッタ羽根と、
前記開口部に進入する状態と前記開口部から退避する状態との間を移動可能な光量調節羽根と、
前記光量調節羽根と係合するアーム部材と、
前記アーム部材に連結されるとともに、前記シャッタ羽根と係合するリンク部材と、
前記アーム部材を駆動するステッピングモータと、を有し、
前記ステッピングモータを一方向に駆動することで、前記アーム部材を第１の位置、第２の位置、第３の位置、第４の位置の順で移動可能であって、
前記アーム部材が前記第１の位置となるとき、前記シャッタ羽根は前記開口部を閉鎖する状態となり、前記光量調節羽根は前記開口部に進入する状態となり、
前記アーム部材が前記第２の位置となるとき、前記シャッタ羽根は前記開口部を開放する状態となり、前記光量調節羽根は前記開口部に進入する状態となり、
前記アーム部材が前記第３の位置となるとき、前記シャッタ羽根は前記開口部を開放する状態となり、前記光量調節羽根は前記開口部から退避する状態となり、
前記アーム部材が前記第４の位置となるとき、前記シャッタ羽根は前記開口部を閉鎖する状態となり、前記光量調節羽根は前記開口部から退避する状態となることを特徴とする光量制御装置。
【請求項２】
前記光量調節羽根には、前記地板に形成される回転軸が挿入される軸穴と、前記アーム部材が挿入されるカム部と、が形成され、
前記カム部には、前記アーム部材の移動に連動して前記光量調節羽根が移動しない第１の領域と、前記アーム部材の移動に連動して前記光量調節羽根が移動する第２の領域と、が形成されることを特徴とする請求項１に記載の光量制御装置。
【請求項３】
前記リンク部材には、前記アーム部材に連結される連結部と、前記地板に設けられたガイドに嵌合する嵌合部と、が形成され、
前記リンク部材は、前記アーム部材の移動に連動して前記ガイドに沿って移動することを特徴とする請求項１または２に記載の光量制御装置。
【請求項４】
前記シャッタ羽根には、前記地板に形成される回転軸が挿入される軸穴と前記リンク部材が挿入されるカム部とが形成されることを特徴とする請求項１から３のいずれか１項に記載の光量制御装置。
【請求項５】
前記アーム部材が前記第２の位置と前記第３の位置との間を移動する際に、前記シャッタ羽根が前記開口部を開放する状態を維持するように、前記アーム部材とリンク部材は連結されることを特徴とする請求項１から４のいずれか１項に記載の光量制御装置。
【請求項６】
前記ステッピングモータを制御する制御手段を更に有し、
前記地板には、前記シャッタ羽根が前記開口部を閉鎖する状態に移動する際、前記シャッタ羽根と当接するストッパーが形成され、
前記制御手段は、前記シャッタ羽根を前記開口部を開放する状態から前記開口部を閉鎖する状態に移動させる際、前記シャッタ羽根を前記開口部を閉鎖する状態から前記開口部を開放する状態に移動させる際のステップ数より多いステップ数にて前記ステッピングモータを駆動するように制御することを特徴とする請求項１から５のいずれか１項に光量制御装置。
【請求項７】
前記ステッピングモータを制御する制御手段を更に有し、
前記地板には、前記シャッタ羽根が前記開口部を閉鎖する状態に移動する際、前記シャッタ羽根と当接するストッパーが形成され、
前記制御手段は、
前記シャッタ羽根を前記開口部を開放する状態から前記開口部を閉鎖する状態に移動させる際、前記ステッピングモータを２相励磁駆動するように制御し、
前記シャッタ羽根を前記開口部を閉鎖する状態から前記開口部を開放する状態に移動させる際、前記ステッピングモータを１−２相励磁駆動するように制御することを特徴とする請求項１から５のいずれか１項に光量制御装置。
【請求項８】
駆動源と、
開口部が形成される地板と、
前記開口部を閉鎖する状態と前記開口部を開放する状態との間を移動可能なシャッタ羽根と、
前記開口部に進入する状態と前記開口部から退避する状態との間を移動可能な光量調節羽根と、
前記駆動源の駆動力を前記光量調節羽根および前記シャッタ羽根に伝達する伝達機構と、を有し、
前記伝達機構は第１の駆動領域、第２の駆動領域および第３の駆動領域を有し、
前記第１の駆動領域では、前記駆動源を第１の方向に駆動すると、前記光量調節羽根は前記開口部に進入する状態から移動することなく前記シャッタ羽根が前記開口部を閉鎖する状態から前記開口部を開放する状態まで移動し、
前記第１の駆動領域では、前記駆動源を前記第１の駆動方向とは反対方向となる第２の方向に駆動すると、前記光量調節羽根は前記開口部に進入する状態から移動することなく前記シャッタ羽根が前記開口部を開放する状態から前記開口部を閉鎖する状態まで移動し、
前記第２の駆動領域では、前記駆動源を第１の方向に駆動すると、前記シャッタ羽根は前記開口部を開放する状態から移動することなく前記光量調節羽根が前記開口部に進入する状態から前記開口部から退避する状態まで移動し、
前記第２の駆動領域では、前記駆動源を前記第２の方向に駆動すると、前記シャッタ羽根は前記開口部を開放する状態から移動することなく前記光量調節羽根が前記開口部から退避する状態から前記開口部に進入する状態まで移動し、
前記第３の駆動領域では、前記駆動源を第１の方向に駆動すると、前記光量調節羽根は前記開口部から退避する状態から移動することなく前記シャッタ羽根が前記開口部を開放する状態から前記開口部を閉鎖する状態まで移動し、
前記第３の駆動領域では、前記駆動源を前記第２の方向に駆動すると、前記光量調節羽根は前記開口部から退避する状態から移動することなく前記シャッタ羽根が前記開口部を閉鎖する状態から前記開口部を開放する状態まで移動することを特徴とする光量制御装置。
【請求項９】
前記伝達機構は、前記駆動源の出力軸に取り付けられ、前記光量調節羽根と係合するアーム部材と、前記アーム部材に連結され、前記シャッタ羽根と係合するリンク部材とを備えることを特徴とする請求項８に記載の光量制御装置。
【請求項１０】
前記光量調節羽根には、前記地板に形成される回転軸が挿入される軸穴と、前記アーム部材が挿入されるカム部と、が形成され、
前記カム部には、前記アーム部材の移動に連動して前記光量調節羽根が移動しない第１のカム領域と、前記アーム部材の移動に連動して前記光量調節羽根が移動する第２のカム領域と、が形成されることを特徴とする請求項９に記載の光量制御装置。
【請求項１１】
前記リンク部材には、前記アーム部材に連結される連結部と、前記地板に設けられたガイドに嵌合する嵌合部と、が形成され、
前記リンク部材は、前記アーム部材の移動に連動して前記ガイドに沿って移動することを特徴とする請求項９または１０に記載の光量制御装置。
【請求項１２】
前記シャッタ羽根には、前記地板に形成される回転軸が挿入される軸穴と前記リンク部材が挿入されるカム部とが形成されることを特徴とする請求項９から１１のいずれか１項に記載の光量制御装置。
【手続補正２】
【補正対象書類名】明細書
【補正対象項目名】０００８
【補正方法】変更
【補正の内容】
【０００８】
上記目的を達成するための本発明の一側面としての光量調節装置は、開口部が形成される地板と、前記開口部を閉鎖する状態と前記開口部を開放する状態との間を移動可能なシャッタ羽根と、前記開口部に進入する状態と前記開口部から退避する状態との間を移動可能な光量調節羽根と、前記光量調節羽根と係合するアーム部材と、前記アーム部材に連結されるとともに、前記シャッタ羽根と係合するリンク部材と、前記アーム部材を駆動するステッピングモータと、を有し、前記ステッピングモータを一方向に駆動することで、前記アーム部材を第１の位置、第２の位置、第３の位置、第４の位置の順で移動可能であって、前記アーム部材が前記第１の位置となるとき、前記シャッタ羽根は前記開口部を閉鎖する状態となり、前記光量調節羽根は前記開口部に進入する状態となり、前記アーム部材が前記第２の位置となるとき、前記シャッタ羽根は前記開口部を開放する状態となり、前記光量調節羽根は前記開口部に進入する状態となり、前記アーム部材が前記第３の位置となるとき、前記シャッタ羽根は前記開口部を開放する状態となり、前記光量調節羽根は前記開口部から退避する状態となり、前記アーム部材が前記第４の位置となるとき、前記シャッタ羽根は前記開口部を閉鎖する状態となり、前記光量調節羽根は前記開口部から退避する状態となることを特徴とする。
また、本発明の他の側面としての光量調節装置は、駆動源と、開口部が形成される地板と、前記開口部を閉鎖する状態と前記開口部を開放する状態との間を移動可能なシャッタ羽根と、前記開口部に進入する状態と前記開口部から退避する状態との間を移動可能な光量調節羽根と、前記駆動源の駆動力を前記光量調節羽根および前記シャッタ羽根に伝達する伝達機構と、を有し、前記伝達機構は第１の駆動領域、第２の駆動領域および第３の駆動領域を有し、前記第１の駆動領域では、前記駆動源を第１の方向に駆動すると、前記光量調節羽根は前記開口部に進入する状態から移動することなく前記シャッタ羽根が前記開口部を閉鎖する状態から前記開口部を開放する状態まで移動し、前記第１の駆動領域では、前記駆動源を前記第１の駆動方向とは反対方向となる第２の方向に駆動すると、前記光量調節羽根は前記開口部に進入する状態から移動することなく前記シャッタ羽根が前記開口部を開放する状態から前記開口部を閉鎖する状態まで移動し、前記第２の駆動領域では、前記駆動源を第１の方向に駆動すると、前記シャッタ羽根は前記開口部を開放する状態から移動することなく前記光量調節羽根が前記開口部に進入する状態から前記開口部から退避する状態まで移動し、前記第２の駆動領域では、前記駆動源を前記第２の方向に駆動すると、前記シャッタ羽根は前記開口部を開放する状態から移動することなく前記光量調節羽根が前記開口部から退避する状態から前記開口部に進入する状態まで移動し、前記第３の駆動領域では、前記駆動源を第１の方向に駆動すると、前記光量調節羽根は前記開口部から退避する状態から移動することなく前記シャッタ羽根が前記開口部を開放する状態から前記開口部を閉鎖する状態まで移動し、前記第３の駆動領域では、前記駆動源を前記第２の方向に駆動すると、前記光量調節羽根は前記開口部から退避する状態から移動することなく前記シャッタ羽根が前記開口部を閉鎖する状態から前記開口部を開放する状態まで移動することを特徴とする。
【手続補正３】
【補正対象書類名】明細書
【補正対象項目名】００３８
【補正方法】変更
【補正の内容】
【００３８】
図６は、シャッタ羽根５および６の動きを説明する図である。図６（ａ）〜（ｅ）の各状態は、図４（ａ）〜（ｅ）の各状態におけるシャッタ羽根５および６の位置にそれぞれ対応している。図６（ａ）の状態では、シャッタ羽根５を突起部５３がストッパー４７に当接するまで軸ダボ４４を中心に反時計回りに回転させる。同時に、シャッタ羽根６を突起部６３がストッパー４８に当接するまで回転させている。この状態では、シャッタ羽根５および６は地板４の開口部４１を閉鎖する。このとき、シャッタ羽根５および６は中間シート７の開口部７１も閉鎖する。図６（ａ）の状態からステッピングモータ１が反時計回りに３０°回転すると、図６（ｂ）の状態となる。図４（ｂ）で説明したように、リンク部材３の出力ピン３１は、地板のガイド穴４３に沿って図４中、右方向に移動する。これによって、出力ピン３１は、図６（ｂ）で示した位置となり、シャッタ羽根５を軸ダボ４４を中心に反時計回りに回転させるとともに、シャッタ羽根６を軸ダボ４５を中心に時計回りに回転させる。この状態では、シャッタ羽根５および６は地板４の開口部４１を開放する。このとき、シャッタ羽根５および６は中間シート７の開口部７１も開放する。開口部７１の開口径は開口部４１の開口径よりも小さいので、開口部７１により光量制御装置の開放口径が決められる。さらに、図６（ｂ）の状態からステッピングモータ１が反時計回りに３０°回転すると、シャッタ羽根５および６の位置は図６（ｅ）の状態を経て図６（ｂ）の状態と同じ図６（ｃ）の状態となる。図４（ｃ）で説明したように、リンク部材３の出力ピン３１は図６（ｂ）で示した位置と同じ位置となり、シャッタ羽根５および６の位置も図６（ｂ）の位置と同じ位置となる。図６（ｂ）の状態から図６（ｃ）の状態に至る途中では図６（ｅ）に示すように、シャッタ羽根５および６は地板４の開口部４１からより退避する方向に移動する。開口部７１の開口径は開口部４１の開口径よりも小さいので、このとき、シャッタ羽根５および６は中間シート７の開口部７１からもより退避する。これによって、図６（ｂ）の状態から図６（ｃ）の状態に変わるまでの間に、シャッタ羽根５および６は地板４の開口部４１を開放する状態を維持する。図６（ｃ）の状態からステッピングモータ１が反時計回りに３０°回転すると、図６（ｄ）の状態となる。図４（ｄ）で説明したように、リンク部材３の出力ピン３１は、図６（ｄ）で示した位置となる。そして、出力ピン３１は、シャッタ羽根５を軸ダボ４４を中心に反時計回りに、シャッタ羽根６を軸ダボ４５を中心に時計回りに突起部５３および６３と地板４のストッパー４７および４８とがそれぞれ当接するまで回転させる。